(57)【要約】【課題】  入稿された原稿データを印刷前に確認する際、透明記録剤で描画指示されたオブジェクトは、モニタで代替色のカラースペースで出力されるので、このオブジェクトの下位レイヤーにあるオブジェクトが見えない。【解決手段】  本発明の画像処理装置は、原稿データに含まれるオブジェクトのうち、透明色剤を用いて描画するオブジェクトを、輪郭と輪郭に囲まれる領域に分割する。輪郭は可視色で出力されるように設定し、輪郭で囲まれた領域は透過して出力されるように設定することを特徴とする。  また、原稿データに含まれるオブジェクトの輪郭が第１の色で出力されるように設定され、該輪郭に囲まれる領域が透過して出力されるように設定されているか否かを判定する。輪郭は第１の色で出力され、輪郭に囲まれる領域は透過して出力されるように設定されていると判定されたオブジェクトを透明色剤を用いて印刷するよう指示することを特徴とする。【選択図】  図９
2013089046.tif 000002
【特許請求の範囲】
【請求項１】
原稿データに含まれるオブジェクトのうち、透明色剤を用いて描画するオブジェクトの輪郭と、該輪郭に囲まれる領域に分割する分割手段と、
前記分割手段により分割された輪郭は可視色で出力されるように設定し、前記分割手段により分割された輪郭で囲まれた領域は透過して出力されるように設定する設定手段と、
を有することを特徴とする画像処理装置。
【請求項２】
原稿データに含まれるオブジェクトの輪郭が第１の色で出力されるように設定され、該輪郭に囲まれる領域が透過して出力されるように設定されているか否かを判定する判定手段と、
前記判定手段により輪郭が第１の色で出力されるように設定され、該輪郭に囲まれる領域が透過して出力されるように設定されていると判定されたオブジェクトを、透明色剤を用いて印刷するよう指示する指示手段と、
を有することを特徴とする画像処理装置。
【請求項３】
前記判定手段に判定よりされた色で前記オブジェクトを表示する表示手段とを有することを特徴とする請求項２に記載の画像処理装置。
【請求項４】
原稿データに含まれるオブジェクトのうち、透明色剤を用いて描画するオブジェクトの輪郭と、該輪郭に囲まれる領域に分割する分割ステップと、
前記分割ステップにより分割された輪郭は可視色で出力されるように設定し、前記分割ステップにより分割された輪郭で囲まれた領域は透過して出力されるように設定する設定ステップと、
を有することを特徴とする画像処理方法。
【請求項５】
原稿データに含まれるオブジェクトの輪郭が第１の色で出力されるように設定され、該輪郭に囲まれる領域が透過して出力されるように設定されているか否かを判定する判定ステップと、
前記判定ステップにより輪郭が第１の色で出力されるように設定され、該輪郭に囲まれる領域が透過して出力されるように設定されていると判定されたオブジェクトを、透明色剤を用いて印刷するよう指示する指示ステップと、
を有することを特徴とする画像処理方法。
【請求項６】
前記判定ステップに判定よりされた色で前記オブジェクトを、表示部を用いて表示する表示ステップとを有することを特徴とする請求項５に記載の画像処理方法。
【請求項７】
請求項４乃至６に記載の画像処理方法をコンピュータに実行させるためのプログラム。
【発明の詳細な説明】
【技術分野】
【０００１】
本発明は、透明色剤を用いた印刷を行うコンテンツの印刷を実行する画像処理装置に関するものである。
【背景技術】
【０００２】
通常、ＤＴＰ（ＤｅｓｋＴｏｐ  Ｐｕｂｌｉｓｈｉｎｇ）環境においては、入稿用のフォーマットとして、Ａｄｏｂｅ社のＰＤＦ（Ｐｏｒｔａｂｌｅ  Ｄｏｃｕｍｅｎｔ  Ｆｏｒｍａｔ）形式が使われる場合が多い。さらに、近年、ＰＤＦ形式の原稿データの中に、特色で描画するよう設定されたオブジェクトが含まれるデータが一般的に用いられるようになってきた。また、この特色色剤として透明色剤が普及されてきた。透明色剤とは、無色透明な画像を、印刷対象画像に付加する特徴を有する透明色剤である。
このような透明色剤を用いた印刷を行うことにより、印刷物に高い表面光沢の質感を表現したり、透かし文字を表現できるので、印刷物に対して新たな付加価値を提供することができる。
【０００３】
透明色剤を用いて印刷を行うプリンタ等の画像処理装置では、ＣＭＹＫの４色の色剤に加えて、透明色剤が設置される。このような画像処理装置で透明色剤を用いた印刷を行う方法として、予め作成しておいたフォームを透明色剤版にとして用いる方法がある。また、任意の特色を透明色に対応付ける方法などがある。この方法を用いると、任意の特色で描画指示されたオブジェクトが、透明色剤を用いて印刷される。この任意の特色に透明色を対応付けて透明色剤を用いた印刷を行う方法では、透明色剤を用いて印刷を行ないたいオブジェクトに対して、特色とその特色の代替色のカラースペース（ＣＭＹＫ値あるいはＲＧＢ値）を設定しておく必要がある。
【０００４】
特色はＣＭＹＫ値やＲＧＢ値で表現できない色である。よってＡｄｏｂｅ社のＰＳ（ＰｏｓｔＳｃｒｉｐｔ）形式やＰＤＦ形式といったＤＴＰ環境の中で標準となっているデータ形式のフォーマットでは、指定された特色の代替色のカラースペースを設定する必要がある。
【先行技術文献】
【特許文献】
【０００５】
【特許文献１】特開２００９―１３０７０５
【発明の概要】
【発明が解決しようとする課題】
【０００６】
上記のように作成された原稿データが、この原稿データ作成者とは異なる印刷業者に入稿されると、印刷業者はＡｃｒｏｂａｔ等のツールで印刷実行前に入稿された原稿データを確認する。透明色剤を用いて印刷を行うオブジェクトを指定するために用いられる特色が設定されたオブジェクトを含む原稿データをＡｃｒｏｂａｔで開くと、モニタ上のオブジェクトは、特色の代替色のカラースペースで出力される。
【０００７】
しかし、印刷業者は入稿された原稿データを印刷実行前に確認する際、透明色剤を用いて印刷する部分はその部分を透かして確認したい。しかし、上記のように特色が設定されたオブジェクトは、モニタ上では特色の代替色のカラースペースで出力される。よって、Ａｃｒｏｂａｔ等のビューアでは、透明色剤を用いて印刷する部分を透かして表示することはできない。そのため、透明色剤を用いて印刷を行うよう指示されたオブジェクトの下位レイヤーにあるオブジェクトが見えなくなってしまう。結果として、原稿データの作成者が伝えたい内容が印刷業者に正しく伝わらない可能性がある。
【課題を解決するための手段】
【０００８】
前記課題を解決するため、本発明の画像処理装置は、原稿データに含まれるオブジェクトのうち、透明色剤を用いて描画するオブジェクトの輪郭と、該輪郭に囲まれる領域に分割する分割手段と、前記分割手段により分割された輪郭は可視色で出力されるように設定し、前記分割手段により分割された輪郭で囲まれた領域は透過して出力されるように設定する設定手段とを有することを特徴とする。
【０００９】
また、原稿データに含まれるオブジェクトの輪郭が第１の色で出力されるように設定され、該輪郭に囲まれる領域が透過して出力されるように設定されているか否かを判定する判定手段と、前記判定手段により輪郭が第１の色で出力されるように設定され、該輪郭に囲まれる領域が透過して出力されるように設定されていると判定されたオブジェクトを、透明色剤を用いて印刷するよう指示する指示手段とを有することを特徴とする。
【発明の効果】
【００１０】
本発明を用いることにより、透明色剤を用いて印刷を行うオブジェクトを指定するために用いられる特色が設定されたオブジェクトを分割し、オブジェクトの輪郭を可視色、輪郭で囲まれる領域を不可視色で表示されるよう指示することが可能になる。これにより、透明色剤を用いて印刷を行うオブジェクトとその下位レイヤーにあるオブジェクトがどのように重なっているか確認できる。よって、原稿データの作成者が伝えたい内容を正しく印刷業者に伝えることが可能となる。
【図面の簡単な説明】
【００１１】
【図１】ネットワーク・ハードウェア構成である。
【図２】ＰＣのハードウェア構成である。
【図３】本実施例における主要なソフトウェア構成である。
【図４】原稿データ編集部である。
【図５】原稿データの例である。
【図６】原稿データ編集部で編集された原稿データの例である。
【図７】クリアトナー用特色への対応付けがなされた原稿データの例である。
【図８】クリアトナー設定処理である。
【図９】クリアトナー用特色への対応付け処理である。
【図１０】クリアトナー用特色への対応付け画面である。
【図１１】クリアトナー用特色への対応付けが完了した結果の画面例である。
【発明を実施するための形態】
【００１２】
以下、本発明を実施するための形態について図面を用いて説明する。
【００１３】
なお、以下では透明色剤としてクリアトナーを用いるが、これに限らず、透明インクや特色トナー等を用いても構わない。
【実施例１】
【００１４】
＜ネットワーク・ハードウェア構成＞
図１に、本発明を実施するシステムの前提となるネットワーク構成とハードウェア構成の簡略図を示す。ネットワーク（ＬＡＮ１００）には、画像処理装置としてＰＣ２００とＰＣ３００、そして画像形成装置４００が接続され、相互に通信することができる。このＰＣ２００では主に原稿データ作成者が原稿データを作成する。またＰＣ３００では主に印刷業者がＰＣ２００から受信した原稿データに対して印刷設定等の確認を行う。
【００１５】
画像形成装置４００は、通常の汎用コンピュータ構成（ＣＰＵ、メモリ、ストレージ、ネットワークインターフェース）に加えて、スキャナ４０１、操作パネル４０２、プリンタ４０３、などのハードウェアから構成する。画像形成装置４００では印刷業者によって設定等が確認された原稿データが設定に従い印刷される。
【００１６】
＜ＰＣ２００のハードウェア構成＞
図２に、ＰＣ２００のハードウェア構成の簡略図を示す。ＰＣ３００もＰＣ２００と同様のハードウェア構成とする。
【００１７】
図２において、ＣＰＵ２０１は、ＲＯＭ２０２に記憶された、あるいはハードディスク２０４からＲＡＭ２０３にロードされたＯＳや一般アプリケーション、ＤＴＰアプリケーションなどのプログラムを実行し、後述するフローチャートの手順を実現する。ＲＡＭ２０３は、ＣＰＵ２０１の主メモリ、ワークエリア等として機能する。入力コントローラ２０５は、キーボード２０７や不図示のポインティングデバイスからの入力を制御する。ＣＲＴコントローラ２０６は、ＣＲＴディスプレイ２０８の表示を制御する。
【００１８】
＜ソフトウェア構成＞
図３に、本発明の実施例における主要なソフトウェア構成の簡略図を示す。
【００１９】
＜ＰＣ２００のソフトウェア構成＞
ＰＣ２００のソフトウェア構成について以下に説明する。
【００２０】
ＰＣ２００は、ＤＴＰソフトウェア２１１、原稿データ編集部２１２、特色取得部２１３、オブジェクト分割部２１４、特色設定部２１５、代替色設定部２１６を備える。ＤＴＰソフトウェア２１１は、印刷業者に入稿する原稿データを作成することができるソフトウェアである。また、このＤＴＰソフトウェア２１１は、入稿用にＰＳ形式やＰＤＦ形式などのデータ形式で保存することができる。代表的なＤＴＰソフトウェアとしては、Ａｄｏｂｅ社のＩｎＤｅｓｉｇｎ（登録商標）、Ｉｌｌｕｓｔｒａｔｏｒ（登録商標）がある。ＤＴＰソフトウェア２１１のユーザーインターフェースは、編集エリア２２２と原稿データ編集部２１２を有する。編集エリア２２２は原稿データを表示／編集する場所で、原稿データ編集部２１２は原稿データに対して適用する編集コマンドをまとめた場所である。
【００２１】
原稿データ編集部２１２は、クリアトナーを用いて印刷を行うオブジェクトを作成するモジュールで、ＤＴＰソフトウェア２１１のプラグインとして提供される。原稿データ編集部２１２は、ＤＴＰソフトウェア２１１が起動すると同時に起動し、図４に示すようにＤＴＰソフトウェア２１１のパネルとして表示される。もしくはＤＴＰソフトウェア２１１のメニューバーにあるＰｌｕｇｉｎメニューを選択することで、原稿データ編集部２１２を起動するように構成してもよい。また、原稿データ編集部２１２は、クリアトナー設定ボタン２２０とオブジェクト格納部２２１を表示部であるモニタ上に出力する。
【００２２】
また、原稿データ編集部２１２は、指定したオブジェクトに対してクリアトナーを用いた描画を指示する特色である「クリアトナー用特色」を予め２種類有する。この２種類の特色については後述する。このクリアトナー用特色は、原稿データ編集部２１２が起動されると、ＲＯＭ２０２にロードされる。
【００２３】
ユーザーがＤＴＰソフトウェア２１１の編集エリア２２２に配置されたオブジェクトを選択し、原稿データ編集部２１２のクリアトナー設定ボタン２２０を押下することで、図８を用いて後述する本実施例のクリアトナー設定処理が開始される。もしくはユーザーがオブジェクト格納部２２１に登録された任意のオブジェクトをＤＴＰソフトウェア２１１の編集エリア２２２にドラッグアンドドロップすることで、クリアトナー設定処理を開始するように構成してもよい。
【００２４】
オブジェクト分割部２１４、特色設定部２１５、代替色設定部２１６は原稿データ編集部２１２の内部モジュールとして提供される。
【００２５】
オブジェクト分割部２１４は編集エリア２２２で選択状態のオブジェクトをＳｔｒｏｋｅとＦｉｌｌに分割する。特色設定部２１５は、原稿データ編集部２１２が有するクリアトナー用特色である２種類の特色（以下、第一の特色、第二の特色と呼ぶ）をＲＯＭ２０２から取得する。そして特色設定部２１５は、オブジェクト分割部２１４で作成されたＳｔｒｏｋｅとＦｉｌｌそれぞれに第一の特色と第二の特色を設定する。代替色設定部２１６はオブジェクト分割部２１４で作成されたＳｔｒｏｋｅに可視色の代替色、Ｆｉｌｌに不可視色の代替色を設定する。可視色とは、ユーザーが認識可能な色を想定しており、たとえば、ＣＭＹＫに｛［１．０、１．０、１．０、１．０］｝を設定することができる。不可視色とは、透過色を想定しており、たとえばＣＭＹＫに｛［０．０、０．０、０．０、０．０］｝やアルファブレンドなどを設定する。または、モニタに出力する際、透過色に見えるように、オーバープリント設定などの情報を追加する構成でもよい。なお、編集エリア２２２で選択状態のオブジェクトがマスクオブジェクトの場合は、クリッピング部分（抜き部分）のみＳｔｒｏｋｅとＦｉｌｌに分割する処理を実施してもよい。
【００２６】
＜ＰＣ３００のソフトウェア構成＞
ＰＣ３００のソフトウェア構成について以下に説明する。ＰＣ３００は、原稿データ確認部３１０、ジョブ制御部３２０、データ解析部３２１、クリアトナー判断部３２２、特色置換部３２３を備える。原稿データ確認部３１０は、印刷業者が印刷実行前に原稿データの作成者から入稿された原稿データを確認するためのソフトウェアである。このソフトウェアの代表的なものとしてはＡｄｏｂｅ社のＡｃｒｏｂａｔ（登録商標）がある。
【００２７】
ジョブ制御部３２０は、印刷業者が入稿された原稿データに対してパンチやステープルなどの印刷設定や原稿データのプリフライトを行うためのプリプレス・ソフトウェアである。このソフトウェアの代表的なものとしてＡｇｆａ社のＡｐｏｇｅｅ（登録商標）、ハイデルベルク社のＰｒｉｎｅｃｔ（登録商標）などがある。ジョブ制御部３２０は、ＤＴＰソフトウェア２１１と同様に特色一覧を持つ。
【００２８】
図１０に、ジョブ制御部３２０のＵＩ（不図示）にて表示される、原稿データ内の特色をクリアトナー用特色に対応付けるユーザーインターフェースの例を示す。１００１は、原稿データのカラーをプロセスカラーのＣＭＹＫ、あるいは特色ごとに分けるカラー分版エリアである。このエリアのカラー分版はＣｙａｎ版、Ｍａｇｅｎｄａ版、Ｙｅｌｌｏｗ版、Ｂｌａｃｋ版、そして特色版で構成される。
【００２９】
特色版は任意の特色色剤を用いて印刷することが可能である。１００２は、原稿データ内に存在する特色を一覧表示するエリアである。印刷実行する前のプリプレス工程で、ＰＣ３００のジョブ制御部３２０に原稿データが入力されると、原稿データ中で利用されている特色が１００２上に表示される。１００３は、１００２に表示されている特色を、１００１の特色版に対応付けるためのボタンである。ユーザーがボタン１００３を押下すると、１００２に表示される特色を特色版へ対応付け、この特色版を１００２に表示される特色で印刷することができる。よって、１００３を押下すると、１００２の原稿データ中で利用される特色と１００４の特色版の印刷に用いる特色色剤を対応付けることができる。
【００３０】
データ解析部３２１、クリアトナー判断部３２２、特色置換部３２３は、ジョブ制御部３２０の内部モジュールとして提供される。データ解析部３２１は、ジョブ制御部３２０に入力された原稿データを解析し、原稿データ内のオブジェクトに設定された特色を抽出する。クリアトナー判断部３２２は、データ解析部３２１が抽出した特色を入力する。そして、その特色を設定されたオブジェクトが、クリアトナーを用いて印刷を行う対象であるかどうかを判断する。特色置換部３２３は、クリアトナー判断部３２２がクリアトナーを用いて印刷を行う対象であると判断したオブジェクトに設定された特色を、画像形成装置４００にてクリアトナーを用いて描画するよう指定するために登録された特色に置換する。
【００３１】
＜画像形成装置４００のソフトウェア構成＞
画像形成装置４００のソフトウェア構成について以下に説明する。
【００３２】
画像形成装置４００は、特色管理部４１１とプリントサービス４１２を備える。特色管理部４１１は画像形成装置４００で扱うことができる特色群を管理している。
ユーザーはクリアトナー印刷実行の前に特色管理部４１１にどの特色がクリアトナーを用いた描画を指示する特色であるクリアトナー用の特色を示すのか予め登録しておく。
【００３３】
プリントサービス４１２は、ジョブ制御部３２０から送信された印刷ジョブに含まれる原稿データを受信して、プリンタ４０３でプリントを行う。その際、プリントサービス４１２は、特色管理部４１１に予め登録されたクリアトナー用特色を参照する。そして、印刷ジョブの原稿データ内にクリアトナー用特色があれば、この特色の設定がなされたオブジェクトを、クリアトナーを用いて印刷を行うクリアトナー版に置換し、プリントする。
【００３４】
＜原稿データ＞
図８にて後述する処理を施すことにより、図５に示す原稿データを元に生成される原稿データおよびその描画命令の一例を図６に示す。また、図９にて後述する処理を施すことにより、図６に示す原稿データを元に作成される原稿データおよびその描画命令の一例を図７に示す。
【００３５】
図５は、原稿データ作成者により操作されるＰＣ２００のＤＴＰソフトウェア２１１で作成した原稿データの簡略図である。また図５にはこの原稿データを構成する描画命令の一例も合わせて示されている。
【００３６】
原稿データには、文字オブジェクト５０１（Ｃｌｅａｒ  Ｂｌｕｅ  ０８２１  Ｃ）が含まれる。文字オブジェクト情報には特色としてＰＡＮＴＯＮＥ  Ｂｌｕｅ  ０８２１  Ｃ、代替色のＤｅｖｉｃｅＣＭＹＫ（デフォルトの表示色は黒）が設定されている。５０３は、文字オブジェクト５０１のテキストデータである。５０３のテキストデータの描画命令に対し、５０２の色設定を施すことで、５０１の文字オブジェクト情報が描画される。この原稿データをＡｃｒｏｂａｔで開くと、図５に示すとおり、設定された特色の代替色であるＤｅｖｉｃｅＣＭＹＫでモニタ上には出力される。
【００３７】
図６は、ＰＣ２００の原稿データ編集部２１２で編集した図５の原稿データの簡略図である。また図６には、この原稿データを構成する描画命令の一例も合わせて示されている。原稿データには、文字オブジェクト情報（Ｃｌｅａｒ  Ｂｌｕｅ  ０８２１  Ｃ）が含まれる。
【００３８】
文字オブジェクト情報の描画命令の、Ｓｔｒｏｋｅ指定部分６０２には第一の特色であるＰＡＮＴＯＮＥ  Ｂｌｕｅ  ０８２１  Ｃ、およびこの第一の特色の代替色であるＤｅｖｉｃｅＣＭＹＫが設定されている（６０４）。
【００３９】
一方、文字オブジェクト情報のＦｉｌｌ指定部分６０３には、第二の特色であるＳＰＯＴ２、およびこの第二の特色の代替色であるＤｅｖｉｃｅＣＭＹＫ｛［０．０  ０．０  ０．０  ０．０］｝という不可視色が設定されている（６０５）。
【００４０】
また、オーバープリントがＴｒｕｅ（＜＜／Ｔｙｐｅ  ／ＥｘｔＧＳｔａｔｅ／ＯＰ  ＴＲＵＥ＞＞）と指定される。
【００４１】
この原稿データをＡｃｒｏｂａｔで開くと、図６に示すように、Ｓｔｒｏｋｅ指定部分である線オブジェクト（文字オブジェクトの輪郭部分）は第一の特色の代替色であるＤｅｖｉｃｅＣＭＹＫで表示される。
【００４２】
一方、Ｆｉｌｌ指定部分である文字オブジェクトは第二の特色の代替色であるＤｅｖｉｃｅＣＭＹＫ｛［０．０  ０．０  ０．０  ０．０］｝で表示される。また、オーバープリント設定がＴＲＵＥと設定されているため、文字オブジェクトは透過表示される。
【００４３】
図７には、印刷業者により操作されるＰＣ３００のジョブ制御部３２０の特色置換部３２３により、クリアトナー用特色へ対応付けがされた後の原稿データの簡略図を示す。また原稿データを構成する描画命令の例も合わせて示す。図６に示した第一の特色であるＰＡＮＴＯＮＥ  Ｂｌｕｅ  ０８２１  Ｃ（６０４）と第二の特色であるＳＰＯＴ２（６０５）が、ＤｅｖｉｃｅＮという記述を使い、クリアトナー用特色ＣｌｅａｒＣｏａｔｉｎｇ（７０１）に変更されている。７０２は、テキストデータ（Ｃｌｅａｒ  Ｂｌｕｅ  ０８２１  Ｃ）の描画命令を示す。
【００４４】
＜クリアトナー設定処理＞
次に、図８のフローチャートを参照して、原稿データ編集部２１２が、図５に示す原稿データを元に、図６に示すクリアトナー用オブジェクトを含む原稿データを生成する処理を説明する。
【００４５】
なお、本フローチャートは、ＰＣ２００のＲＯＭ２０２に格納されたプログラムに従って、ＣＰＵ２０１によって実行される。
【００４６】
まず、Ｓ８００で、ＰＣ２００の原稿データ編集部２１２は、図４に示された原稿データ編集部２１２のＵＩ上のクリアトナー設定ボタン２２０が押下されると、クリアトナー設定処理を開始する。なお、ユーザーがオブジェクト格納部２２１から登録済みのオブジェクトをドラッグアンドドロップすることでクリアトナー設定処理を開始するように構成しても良い。
【００４７】
次に、Ｓ８０１で、原稿データ編集部２１２は、図５に示す原稿データの文字オブジェクト５０１が選択状態かどうかを判定する。原稿データ編集部２１２は、文字オブジェクト５０１が選択状態であれば、クリアトナー設定処理を継続し、選択状態でなければ処理を中止する。Ｓ８０１において、文字オブジェクト５０１が選択状態の場合、原稿データ編集部２１２はＳ８０２に進み、選択された文字オブジェクト５０１のオブジェクト番号５０２を取得する。
【００４８】
そして、Ｓ８０３では、オブジェクト分割部２１４は、選択された文字オブジェクト５０１をＳｔｒｏｋｅとＦｉｌｌに分ける。
【００４９】
具体的には、オブジェクト分割部２１４は、文字オブジェクト５０１を用いて、文字オブジェクト５０１の輪郭のパス情報を取得する。
【００５０】
このパス情報を用いて、文字オブジェクトの輪郭であるＳｔｒｏｋｅに対しては図６に示される６０２のような描画命令を生成する。
【００５１】
一方、文字オブジェクトの輪郭で囲まれる領域であるＦｉｌｌに対しては、図５のテキストデータの描画命令５０３を用いて、図６に示される６０３のような描画命令を生成する。
【００５２】
次にＳ８０４にて、特色設定部２１５は、原稿データ編集部２１２が有するクリアトナー用特色である第一の特色と第二の特色をＲＯＭ２０２から取得する。そして、Ｓ８０５にて、特色設定部２１５はＳｔｒｏｋｅに対してＳ８０４で取得した第一の特色を設定する。さらにＳ８０６にて、代替色設定部２１６は第一の特色の代替色として可視色のＤｅｖｉｃｅＣＭＹＫを設定する。具体的には、図６にて、第一の特色とその代替色は、６０４のコマンドとして書き込まれる。
【００５３】
そして、Ｓ８０７にて、特色設定部２１５は、Ｆｉｌｌに対してＳ８０４で取得した第二の特色を設定する。さらに、Ｓ８０８にて、代替色設定部２１６は前記第二の特色の代替色として不可視色であるＤｅｖｉｃｅＣＭＹＫ｛［０．０  ０．０  ０．０  ０．０］｝を設定する。図６において、第二の特色とその代替色は、６０５のコマンドとして書き込まれる。原稿データのフォーマット形式がＰＳ形式やＰＤＦ形式の場合は、代替色を透過表示するために、オーバープリント設定を原稿データに書きこむ構成にしても良い。
【００５４】
このように作成された原稿データをＡｃｒｏｂａｔで表示すると図６に示すように、文字オブジェクト６０１の輪郭を示す線は可視色で描画され、輪郭で囲まれる領域は透過で表示される。本実施例では原稿データにＰＤＦ形式を用いているがこれに限られた形式でなくてもよい。
【００５５】
そして、このように生成された原稿データは、印刷設定を確認すべく一度ＰＣ３００へ送信される。
【００５６】
＜特色の事前登録について＞
ＰＣ３００で設定されたクリアトナー用特色と、原稿データ中で利用されている特色の対応付け処理を説明する前に、この処理の前提を説明する。対応付け処理を行う前に、画像形成装置の特色管理部４１１にどの特色がクリアトナー用の特色を示すのか予め登録しておく必要がある。また、同様の内容をＰＣ３００にも予め登録しておく必要がある。
よって、以下に示す処理を行う。
【００５７】
まず、画像形成装置４００でクリアトナーによる描画を示すために用いる特色である「クリアトナー用特色」を登録する。クリアトナー用特色の特色名は任意の文字列であり、本実施例では例えば、ＣｌｅａｒＣｏａｔｉｎｇとする。一般的に登録された特色は画像形成装置４００のメモリに格納される。もしくはファイルとしてハードディスクに保存する構成でもよい。
【００５８】
次にＰＣ３００のジョブ制御部３２０でも上記と同様のクリアトナー用特色を登録しておく。具体的には、図１０の１００４にクリアトナー用特色を登録しておく。本実施例では例えば、１００４にＣｌｅａｒＣｏａｔｉｎｇを登録している。画像形成装置４００とジョブ制御部３２０それぞれに登録するクリアトナー用特色名は同じでなければならない。一般的に大文字、小文字の区別も行われる。これはＰＣ３００と画像形成装置４００が、クリアトナー用特色に関する情報を共有できるようにするためである。
【００５９】
＜クリアトナー用特色への対応付け処理＞
図９のフローチャートは、ジョブ制御部３２０のデータ解析部３２１、クリアトナー判断部３２２、特色置換部３２３が、図１０の１００２に表示された２つの特色を図１１の１１０１に示すように特色ＣｌｅａｒＣｏａｔｉｎｇに対応付ける処理を説明する。原稿データは図６のＰＤＦ形式を用いるが、このデータ形式に限らず同じ処理を行えるデータ形式であればどのような形式のデータでもよい。
【００６０】
なお、本フローチャートは、ＰＣ３００の不図示のＲＯＭに格納されたプログラムに従って、ＰＣ３００の不図示のＣＰＵによって実行される
まず、Ｓ９００にて、ユーザーによってジョブ制御部３２０の図１０に示されたボタン１００３が押下されると、クリアトナー用特色への対応付け処理が開始する。Ｓ９０１からＳ９０７までの処理は、原稿データ内のすべてのページが処理されるまで行われる。
【００６１】
次に、Ｓ９０１にて、ジョブ制御部３２０は、事前に図１０の１００１に登録されたクリアトナー用特色１００４（ＣｌｅａｒＣｏａｔｉｎｇ）を取得する。
【００６２】
そして、Ｓ９０２にて、データ解析部３２１は、図６に示すような原稿データを解析し、ページ内にあるオブジェクトのうち、ＳｔｒｏｋｅとＦｉｌｌに異なる特色が設定されているオブジェクトを検出する。ＳｔｒｏｋｅとＦｉｌｌに異なる特色が設定されているオブジェクトがある場合、このオブジェクトに対してＳ９０３のステップに移る。異なる特色が設定されていないオブジェクトに対しては、Ｓ９０８へ進み、通常ＰＤＬ処理を行う。
【００６３】
Ｓ９０３にて、クリアトナー判断部３２２は、ステップＳ９０２で検出されたオブジェクトのＦｉｌｌの特色の代替色として不可視色が設定されているかどうかを判定する。不可視色が設定されていない場合は、Ｓ９０８へ進み、通常ＰＤＬ処理を行う。不可視色が設定されていれば、Ｓ９０４へ進み、クリアトナー判断部３２２はこのオブジェクトをクリアトナー版に置換し、クリアトナーを用いて印刷を行う領域と判断する。そしてクリアトナー判断部３２２はこのオブジェクトをＲＡＭ２０３に一時的に記憶する。本実施例では、図６の６０５に示すように、特色Ｓｐｏｔ２に代替色として不可視色（ＤｅｖｉｃｅＣＭＹＫ｛［０．０  ０．０  ０．０  ０．０］｝）が設定されているので、Ｓ９０５に移る。
【００６４】
Ｓ９０５にて、特色置換部３２３は、Ｓ９０４でＲＡＭ２０３に記憶されたオブジェクトの特色（ＰＡＮＴＯＮＥ  Ｂｌｕｅ  ０８２１  ＣとＳｐｏｔ２）を抽出して、Ｓ９０１で取得したクリアトナー用特色１００４（ＣｌｅａｒＣｏａｔｉｎｇ）に対応させる。
【００６５】
Ｓ９０５で特色の対応付けが完了すると、Ｓ９０６へ進み、原稿データのオブジェクトを編集する。具体的な例としては、図６の描画命令６０２〜６０５を図７の描画命令７０１〜７０２のように書き換える。図６の特色６０４と６０５は、図７の７０１に置換され、図６の描画命令６０２と６０３は、図７の描画命令７０２へと置換される。このように受信した原稿データ中で利用されている特色に対してクリア用特色への対応付けが行われると、原稿データは、ＰＣ３００から画像形成装置４００へ送信される。
【００６６】
原稿データを受信した画像形成装置４００は、上述したようにどの特色がクリア用トナー特色であるか予め登録されている。そしてこの画像形成装置４００は、予め登録された特色で描画指示されたオブジェクトを、クリアトナーを用いて印刷する。
【００６７】
本実施例により、特色で表示されるオブジェクトの下にあるオブジェクトの情報（文字、イメージ、グラフィックス等）と、特色で表示されるオブジェクトとその下のオブジェクトがどのように重なっているのかを確認できる。よって、原稿データの作成者が伝えたい内容を正しく印刷業者に伝えることが可能となる。さらに、クリアトナー印刷用の特色への対応付けを自動化することにより、間違った特色への対応付けを軽減できる。
【００６８】
（その他の実施例）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013089046.tif 000003
【図２】
2013089046.tif 000004
【図３】
2013089046.tif 000005
【図４】
2013089046.tif 000006
【図５】
2013089046.tif 000007
【図６】
2013089046.tif 000008
【図７】
2013089046.tif 000009
【図８】
2013089046.tif 000010
【図９】
2013089046.tif 000011
【図１０】
2013089046.tif 000012
【図１１】
2013089046.tif 000013